(57)【要約】  リップバーム（２）を塗布するための化粧品容器（１）を記載する。化粧品容器（１）は、キャップ（１４）と、上側内殻（１９，１４９）と、基部（１６）とを備える。基部（１６）は、底部に貫通孔（２３）を有する下側内殻（３）と、上記バーム（２）を支持する一体の支持フレーム（３０）であって、多数の放射状貫通スリット（５００）を含む中央中空ハブ（３６）と下側内殻（３）の内部を空間区域（１８）へと区分する多数の放射状壁部（３４）とを含む支持フレーム（３０）とを備える。【選択図】図１
2019536543.tif 000002
【特許請求の範囲】
【請求項１】
リップバーム（２）を塗布するための化粧品容器（１）であって、キャップ（１４）と、上側内殻（１９，１４９）と、基部（１６）とを備え、前記キャップ（１４）と前記基部（１６）とが、前記化粧品容器（１）を形成するように、組付軸線（Ｍ）に沿って互いに分離可能に組み付け可能であり、前記基部（１６）が、固形状の前記リップバーム（２）を支持する支持フレーム（３０）を含み、前記上側内殻（１９，１４９）が前記キャップ（１４）と前記基部（１６）との間に設けられ、前記上側内殻（１９，１４９）が、固形状の前記リップバーム（２）の外面に対して補完的な形状を有し、前記バーム（２）の前記外面が、前記バーム（２）を唇に塗布するのに適した形状を有し、前記基部（１６）が下側内殻（３）を含み、前記基部（１６）の底部には、前記化粧品容器（１）が完全に組み付けられて裏返された姿勢の状態で加熱半流体状の前記バーム（２）を前記化粧品容器（１）内に充填するステップの間、加熱半流体状の前記バーム（２）を通過可能とする貫通孔（２３）が設けられ、充填ステップの前後に下側プラグ（１６０）によって前記基部（１６）の前記貫通孔（２３）が閉じられ、前記支持フレーム（３０）が前記基部（１６）と一体であり、前記下側内殻（３）の内部中央部（１８０）が前記基部（１６）の内側底部であり、前記貫通孔（２３）内へと開口し、前記基部（１６）の前記支持フレーム（３０）が、前記内部中央部（１８０）から前記基部（１６）の前記下側内殻（３）に向かって前記組付軸線（Ｍ）に沿って延在する中央中空ハブ（３６）を含み、前記中央中空ハブ（３６）が、底部で前記貫通孔（２３）内へと開口する内部空洞（３６０）を含み、前記中央中空ハブ（３６）が、前記基部（１６）の前記下側内殻（３）に対向する外面（３８０）を含み、前記中央中空ハブ（３６）が多数の放射状貫通スリット（５００）を含む化粧品容器（１）において、前記基部（１６）の前記支持フレーム（３０）が、前記下側内殻（３）の内部を前記下側内殻（３）の空間区域（１８）へと区分する多数の放射状壁部（３４）を含み、前記多数の放射状壁部（３４）の各放射状壁部（３４）が、前記中央中空ハブ（３６）の前記外面（３８０）から前記基部（１６）の外壁（１６１）に向かって放射状に延在し、各放射状壁部（３４）が、前記基部（１６）の前記下側内殻（３）から前記組付軸線（Ｍ）に沿って延在し、前記多数の放射状貫通スリット（５００）の各放射状貫通スリット（５００）が、前記多数の放射状壁部（３４）の隣接する２つの放射状壁部（３４）の間に配置されて、充填ステップの間、加熱半流体状の前記バーム（２）を、前記中央中空ハブ（３６）の前記内部空洞（３６０）から前記基部（１６）の前記下側内殻（３）における前記空間区域（１８）の１つへと通過可能とすることを特徴とする化粧品容器（１）。
【請求項２】
２つ以上の前記放射状貫通スリット（５００）が前記多数の放射状壁部（３４）の隣接する２つの放射状壁部（３４）の間に配置されることを特徴とする、請求項１に記載の化粧品容器（１）。
【請求項３】
各放射状貫通スリット（５００）が前記中央中空ハブ（３６）の下部（３６３）に配置されることを特徴とする、請求項１又は２に記載の化粧品容器（１）。
【請求項４】
前記多数の放射状壁部（３４）の各放射状壁部（３４）が、少なくとも１つの上側溢流貫通スリット（３４０）を含む上部（３４９）を含み、各上側溢流貫通スリット（３４０）が、充填ステップの間、加熱半流体状の前記バーム（２）を、前記基部（１６）の前記下側内殻（３）における前記空間区域（１８）の少なくとも２つの間を通過可能とするようになっていることを特徴とする、請求項１〜３のいずれか１項に記載の化粧品容器（１）。
【請求項５】
少なくとも１つの前記上側溢流貫通スリット（３４０）が、前記中央中空ハブ（３６）に近接した前記放射状壁部（３４）の前記上部（３４９）に配置され、前記少なくとも１つの上側溢流貫通スリット（３４０）が、充填ステップの間、加熱半流体状の前記バーム（２）を、前記中央中空ハブ（３６）の前記内部空洞（３６０）から、前記基部（１６）の前記下側内殻（３）における前記空間区域（１８）の少なくとも２つへと通過可能とするようになっていることを特徴とする、請求項４に記載の化粧品容器（１）。
【請求項６】
前記下側内殻（３）が、前記基部（１６）の前記外壁（１６１）と前記下側内殻（３）の底部である前記内部中央部（１８０）とに接する境界（１８１）を含み、前記下側内殻（３）の前記境界（１８１）が、前記下側内殻（３）の前記内部中央部（１８０）に対して高く配置され、この高さが前記組付軸線（Ｍ）に沿って測定されることを特徴とする、請求項１〜５のいずれか１項に記載の化粧品容器（１）。
【請求項７】
前記下側内殻（３）が凹形状を有することを特徴とする、請求項１〜６のいずれか１項に記載の化粧品容器（１）。
【請求項８】
前記キャップ（１４）が前記上側内殻（１９）を含むことを特徴とする、請求項１〜７のいずれか１項に記載の化粧品容器（１）。
【請求項９】
前記上側内殻（１４９）を含む中央キャップ（１４０）を更に備え、前記中央キャップ（１４０）が、前記キャップ（１４）に対して、前記組付軸線（Ｍ）に沿って分離可能に組み付け可能であることを特徴とする、請求項１〜７のいずれか１項に記載の化粧品容器（１）。
【請求項１０】
前記中央キャップ（１４０）が、前記キャップ（１４）の内面の連結要素（１９１）と連結する連結要素（１４１）を提供することを特徴とする、請求項９に記載の化粧品容器（１）。
【請求項１１】
前記上側内殻（１４９）を含む中央キャップ（１４０）を更に備え、前記中央キャップ（１４０）が、前記基部（１６）に対して、前記組付軸線（Ｍ）に沿って分離可能に組み付け可能であることを特徴とする、請求項１〜７のいずれか１項に記載の化粧品容器（１）。
【請求項１２】
前記上側内殻（１９，１４９）が曲線的な形状を有することを特徴とする、請求項１〜１１のいずれか１項に記載の化粧品容器（１）。
【請求項１３】
前記キャップ（１４，１４０）が曲線的な形状を有することを特徴とする、請求項１〜１２のいずれか１項に記載の化粧品容器（１）。
【発明の詳細な説明】
【技術分野】
【０００１】
本発明は、リップバームを塗布するための化粧品容器に関する。
【背景技術】
【０００２】
先行技術において、固形状のバーム用の支持リングを分離可能に組み付けられるふたと基部とを備える、リップバームを塗布するための化粧品容器が、米国特許第８６５１３０８号明細書によって開示されている。支持リングは、容器への充填ステップの間、加熱半流体状のバームを通過させる多数の貫通孔を含んだ骨組形状の支持フレームを含む。支持リングの支持フレームは固形状のバームを支持する。基部は、加熱半流体状のバーム用の充填管が下方からアクセス可能となるように下側開口部を含む。化粧品容器の損傷回避やバームの汚染防止を目的として、化粧品容器の損傷やバームの汚染を引き起こしかねない事態である加熱半流体状のバームの溢流の回避や加熱半流動状のバームの過充填の防止をするために、充填管が下側開口部に対し化粧品容器内へ深く挿入されることとなり不便である。
【０００３】
加熱半流体状のバームを含む化粧品容器の損傷を回避し且つバームの汚染を防止するために、上記の特許のような、基部に対して分離可能に組み付け可能な支持リングを備える、リップバームを塗布するための他の化粧品容器が、国際公開第２０１１／０７１７９２号及び欧州特許出願公開第２５０９４６１号明細書によって開示されている。加熱半流体状のバームの充填ステップの間、基部は支持リングから分離され、加熱半流体状のバームを支持リングの貫通孔から直接通過させて、加熱半流体状のバームを化粧品容器内へと充填する。加熱半流体状のバームの化粧品容器内への充填は、複雑であり、且つ、化粧品容器の基部を後から組み付ける必要があるため、組み付けに時間を要すると共に化粧品容器の組み付けが複雑化するという問題があった。
【０００４】
最も類似した先行技術である英国特許第２１６２８２２号明細書には、キャップと、中央中空ハブを含む基部とを備え、中央中空ハブが、充填ステップの際に、加熱半流体状のバームが中央中空ハブの内部空洞と上側内殻との間を通過可能とする複数の貫通スリットを含む、リップバームを塗布するための化粧品容器が開示されている。バームが濁ってしまい、制御された状態で上側内殻に入らず、流れが遅いためにバームの均質性が失われて、不均質な塊へと固まってしまうという問題があった。
【先行技術文献】
【特許文献】
【０００５】
【特許文献１】米国特許第８６５１３０８号明細書
【特許文献２】国際公開第２０１１／０７１７９２号
【特許文献３】欧州特許出願公開第２５０９４６１号明細書
【特許文献４】英国特許第２１６２８２２号明細書
【発明の概要】
【発明が解決しようとする課題】
【０００６】
本発明は、より簡素化され、組み付けがより容易且つ迅速である、リップバームを塗布するための化粧品容器であって、加熱半流体状のバームを、損傷やバームの汚染なく充填することができる化粧品容器を得ることを目的とする。
【課題を解決するための手段】
【０００７】
本発明によれば、こうした目的は、請求項１に記載の化粧品容器によって達成される。
【０００８】
本発明の特徴は、添付の図面に限定の意図なく示される、以下の本発明の実施形態の詳細な説明から明らかとなろう。
【図面の簡単な説明】
【０００９】
【図１】図１は、本発明に係るリップバームを塗布するための化粧品容器の分解斜視図を示す。
【図２】図２は、閉じられた化粧品容器の斜視図を示す。
【図３】図３は、閉じられた化粧品容器の側面図を示す。
【図４】図４は、閉じられた化粧品容器の上面図を示す。
【図５】図５は、図４のＶ−Ｖ線に沿った断面図を示す。
【図６】図６は、図４のＶＩ−ＶＩ線に沿った断面図を示す。
【図７】図７は、化粧品容器の基部の上面斜視図を示す。
【図８】図８は、化粧品容器の基部の底面斜視図を示す。
【図９】図９は、化粧品容器の基部の上面図を示す。
【図１０】図１０は、化粧品容器の基部の底面図を示す。
【図１１】図１１は、化粧品容器の基部の側面図を示す。
【図１２】図１２は、図９のＸＩＩ−ＸＩＩ線に沿った断面を示す。
【図１３】図１３は、化粧品容器のキャップの、図４のＶ−Ｖ線に沿った断面図を示す。
【図１４】図１４は、化粧品容器の中央キャップの側面図を示す。
【図１５】図１５は、中央キャップの、図４のＶ−Ｖ線に沿った断面図を示す。
【図１６】図１６は、図１５の拡大詳細を示す。
【図１７】図１７は、化粧品容器の下側プラグを示す。
【図１８】図１８は、下側プラグの、図４のＶ−Ｖ線に沿った断面を示す。
【発明を実施するための形態】
【００１０】
上記の図面を参照し、キャップ１４と、上側内殻１４９と、基部１６とを含む、リップバーム２を塗布するための化粧品容器１に注目すべきである。
【００１１】
図１及び図２に示すように、上記キャップ１４と上記基部１６とは、化粧品容器１を形成するように、組付軸線Ｍに沿って互いに分離可能に組み付け可能である。
【００１２】
特に図１〜図６及び図１３に示すように、キャップ１４は曲線的な形状を有する。
【００１３】
特に図１〜図３、図５〜図６及び図１４〜図１６に示すように、上記化粧品容器１は、上記上側内殻１４９を含む中央キャップ１４０を含む。上記中央キャップ１４０は、上記キャップ１４に対して、組付軸線Ｍに沿って分離可能に組み付け可能である。
【００１４】
中央キャップ１４０は曲線的な形状を有する。
【００１５】
上記上側内殻１４９は上記キャップ１４と上記基部１６との間に設けられ、上記上側内殻１４９は固形状のリップバーム２の外面に対して補完的な形状を有する。バーム２の上記外面は、バーム２を唇に塗布するのに適した曲線的な形状を有する。
【００１６】
充填ステップの間、上記上側内殻１４９は上記基部１６に組み付けられることが好ましく、これによって組付作業が容易になると共に化粧品容器１が簡素化される。充填ステップの間、上記上側内殻１４９及び上記基部１６は、加熱半流体状のバーム２を収容する。
【００１７】
上側内殻１４９は曲線的な形状を有する。
【００１８】
中央キャップ１４０の外形は上側内殻１４９の形状に倣うが、外側のキャップ１４の形状は任意であることから、中央キャップ１４０が外側のキャップ１４に任意のより簡素な形状を与えるものであることが好ましい。
【００１９】
特に図１３に示すように、上記キャップ１４は内側ねじ山部１５を含む。
【００２０】
特に図１、図７及び図１１〜図１２に示すように、上記基部１６は外側ねじ山部１７を含む。キャップ１４の上記内側ねじ山部１５は、上記基部１６の上記外側ねじ山部１７に螺合する。
【００２１】
特に図１及び図１５〜図１６に示すように、上記中央キャップ１４０は、上記キャップ１４の内面の連結要素１９１と連結する連結要素１４１を含む。特に図１３に示すように、上記キャップ１４の内面の上記連結要素１９１は、上記中央キャップ１４０の上記連結要素１４１に対して補完的な形状を有する。
【００２２】
リップバーム２を塗布するために化粧品容器１を開くためにキャップ１４を回して基部１６から外す際、中央キャップ１４０は上記キャップ１４に組み付けられているため、化粧品容器１を開けてバーム２を唇に塗布するには上記キャップ１４のみを回して外しさえすれば十分である。
【００２３】
特に図５〜図１２に示すように、上記基部１６は、固形状の上記リップバーム２を支持する支持フレーム３０を含む。
【００２４】
上記支持フレーム３０は、上記基部１６と一体であることが好ましく、化粧品容器１の組み付けを簡素化して、化粧品容器１の組付作業をより迅速で安全なものとする。
【００２５】
上記基部１６の上記支持フレーム３０は固形状の上記リップバーム２を支持する。
【００２６】
上記基部１６は下側内殻３を含む。
【００２７】
下側内殻３は、上記基部１６の外壁１６１と下側内殻３の底部である上記内部中央部１８０とに接する境界１８１を含む。下側内殻３の上記境界１８１は、下側内殻３の内部中央部１８０に対して高く配置される。この高さは組付軸線Ｍに沿って測定される。
【００２８】
上記下側内殻３は、化粧品容器１を更に簡素化するように凹形状を有する。
【００２９】
上記基部１６の底部には、加熱半流体状の上記バーム２を化粧品容器１内に充填するステップの間、加熱半流体状のバーム２を通過可能とする貫通孔２３が設けられる。
【００３０】
上記下側内殻３の内部中央部１８０は基部１６の内側底部であり、上記貫通孔２３が開口している。上記貫通孔２３は、化粧品容器１の内側から外側へと開口する。
【００３１】
特に図４〜図１２に示すように、上記基部１６の上記支持フレーム３０は、上記上側内殻１４９に向かって、基部１６の下側内殻３における内部中央部１８０の組付軸線Ｍに沿って延在する中央中空ハブ３６を含む。
【００３２】
上記中央中空ハブ３６は、上記貫通孔２３の底部に開口する内部空洞３６０を含む。上記中央中空ハブ３６は、基部１６の下側内殻３に対向する外面３８０を含む。
【００３３】
上記基部１６の上記支持フレーム３０は、下側内殻３の内部を下側内殻３の空間区域１８へと区分する多数の放射状壁部３４を含む。上記多数の放射状壁部３４の各放射状壁部３４は二方向に延在する。各放射状壁部３４は、上記中央中空ハブ３６の外面３８０から上記基部１６の上記外壁１６１に向かって放射状に延在する。各放射状壁部３４は、基部１６の下側内殻３から上記上側内殻１４９に向かって組付軸線Ｍに沿って延在する。
【００３４】
上記中央中空ハブ３６は、加熱半流体状のバーム２を、化粧品容器１を損傷することなく、且つ、バーム２の汚染や濁りを防止しながら、制御された状態で流す多数の放射状貫通スリット５００を含む。上記多数の放射状貫通スリット５００の各放射状貫通スリット５００は、上記多数の放射状壁部３４の隣接する２つの放射状壁部３４の間に配置される。各放射状貫通スリット５００は、充填ステップの間、加熱半流体状のバーム２を、中央中空ハブ３６の内部空洞３６０と基部１６の下側内殻３における上記空間区域１８の１つとの間を通過可能とする。
【００３５】
少なくとも１つの放射状貫通スリット５００を上記多数の放射状壁部３４の隣接する２つの放射状壁部３４の間に配置することが好ましく、充填ステップの間、上記少なくとも１つの放射状貫通スリット５００によって、加熱半流体状のバーム２が基部１６の下側内殻３の各空間区域１８に供給されるようにする。
【００３６】
各放射状貫通スリット５００を中央中空ハブ３６の下部３６３に配置して、化粧品容器１内において加熱半流体状のバーム２をより良く制御することが好ましい。
【００３７】
上記多数の放射状壁部３４の各放射状壁部３４は、少なくとも１つの上側溢流貫通スリット３４０を含む上部３４９を含む。各上側溢流貫通スリット３４０は、充填ステップの間、加熱半流体状のバーム２を、基部１６の下側内殻３における上記空間区域１８の少なくとも２つの間を通過可能とする。
【００３８】
少なくとも１つの上側溢流貫通スリット３４０が、上記中央中空ハブ３６に近接した放射状壁部３４の上部３４９に配置される。上記少なくとも１つの上側溢流貫通スリット３４０は、充填ステップの間、加熱半流体状のバーム２を、中央中空ハブ３６の内部空洞３６０と、基部１６の下側内殻３における空間区域１８の少なくとも２つとの間を通過可能とする。特に図７、図９及び図１２に示すように、多数の上側溢流貫通スリット３４０は、上記中央中空ハブ３６に近接した各放射状壁部３４の上部３４９上に配置されて、加熱半流体状のバーム２が空間区域１８と中央中空ハブ３６の内部空洞３６０との間を通過し易いようになっている。
【００３９】
特に図１、図５〜６、図１２及び図１７〜図１８に示すように、基部１６の貫通孔２３の外側から下側プラグ１６０を閉じる。
【００４０】
加熱半流体状の上記バーム２を化粧品容器１内へと充填するステップに関しては、化粧品容器１を裏返して、上側内殻１９，１４９を上記基部１６に組み付け、加熱半流体状のバーム２を導入し易いように上記貫通孔２３を上向きにする。加熱半流体状のバーム２を基部の貫通孔２３内に挿入し、加熱半流体状のバーム２を、濁ったり汚染されたりすることなく、そして化粧品容器１を損傷することなく、制御された一定の状態で中央中空ハブ３６の内部空洞３６０内へと流すことが好ましい。加熱半流体状のバーム２は、制御された状態で徐々に充填される放射状貫通スリット５００によって、制御された一定の状態で、中央中空ハブ３６の内部空洞３６０から下側内殻３の空間区域１８へと流れる。加熱半流体状のバーム２は、制御された状態で、基部１６内を上側内殻１９，１４９の方向に流れる。放射状壁部３４の上側溢流貫通スリット３４０によって、加熱半流体状のバーム２は上記空間区域１８と上記内部空洞３６０との間を通過し、制御された状態で流されながら化粧品容器１内により良く分配される。上側内殻１９，１４９は、基部１６の支持フレーム３０の上部まで、加熱半流体状のバーム２で充填される。下側プラグ１６０によって基部１６の貫通孔２３を閉じる。
【００４１】
好ましいことに、基部１６は事前に組み付けられており、化粧品容器１の組付作業を容易にし、その分組付作業を削減する。充填ステップの終了後は、下側プラグ１６０によって基部１６の貫通孔２３を閉じるのみとなる。
【００４２】
好ましくは、加熱半流体状のバーム２は、化粧品容器１を損傷することなく、且つ、バーム２が汚染されたり濁ったりすることなく、制御された状態で化粧品容器１内を流れる。
【００４３】
中央中空ハブ３６と、多数の放射状貫通スリット５００と、下側内殻３を空間区域１８へと区分する放射状壁部３４とを含む基部１６の形状によって、有利には、加熱半流体状のバーム２を、化粧品容器１を損傷することなく、且つ、バーム２が濁ったりバーム２が汚染されたりすることなく、制御された状態で、上側内殻１９，１４９に向かって一定に流すことができる。
【００４４】
上側溢流貫通スリット３４９によって、化粧品容器１が加熱半流体状のバーム２で充填された時をより確実に認識でき、バーム２が塊や突出部分を有することなくバーム２をより平らにすることができるため好ましい。その結果、バーム２が固形状になった際に、基部１６の上記支持フレーム３０によってより良くより確実に支持することができる。
【００４５】
バーム２が固形状になると、上記支持フレーム３０によって支持される。
【００４６】
固形状のバーム２を人の唇に塗布する際は、化粧品容器１を開いてバーム２を露出させるように、中央キャップ１４０が組み付けられたキャップ１４を取り外すだけで十分である。
【００４７】
或いは、キャップ１４は任意の外形を有する。上記上側内殻１９，１４９は、固形状のリップバーム２の外面に対して補完的な形状を有する。
【００４８】
或いは、中央キャップ１４０は任意の外形を有する。上記上側内殻１９，１４９は、固形状のリップバーム２の外面に対して補完的な形状を有する。
【００４９】
或いは、中央キャップ１４０を設けない。この代替案では、上記キャップ１４は、固形状のリップバーム２の外面に対して補完的な形状を有する上記上側内殻１９を含む。
【００５０】
或いは、中央キャップ１４０は、上記基部１６に対して、組付軸線Ｍに沿って分離可能に組み付け可能である。そして、キャップ１４は、上記基部１６に対しては分離可能に組み付け可能だが、上記中央キャップ１４０に対しては異なる。この代替案では、中央キャップ１４０は上記上側内殻１４９を含む。この代替案では、上記中央キャップ１４０は内側ねじ山部１５４を含む。上記基部１６は外側ねじ山部１７を含む。中央キャップ１４０の上記内側ねじ山部１５４は、上記基部１６の上記外側ねじ山部１７と螺合するようになっている。
【００５１】
或いは、基部１６の上記下側内殻３は、曲線的形状を有した下側内殻３を含むものであって、中央中空ハブ３６に向かって突出する面を有した凸形状、星形状又は円錐形状の一つの形状を有する。
【００５２】
或いは、上側内殻１９，１４９は、バーム２を唇に塗布するのに適した任意の形状である固形状のリップバーム２の外面に対して補完的な形状を有する。
【００５３】
或いは、２つ以上の放射状貫通スリット５００を上記多数の放射状壁部３４の隣接する２つの放射状壁部３４の間に配置して、充填ステップの間、上記少なくとも１つの放射状貫通スリット５００によって、加熱半流体状のバーム２が基部１６の下側内殻３の各空間区域１８に充填されるようにしてもよい。
【００５４】
或いは、少なくとも１つの放射状貫通スリット５００を、中央中空ハブ３６の上部か、又は中央中空ハブ３６の下部３６３とは異なる部分に引き続き配置するようにすることも可能である。放射状貫通スリット５００を中央中空ハブ３６の全体に沿って配置するようにすることも可能である。
【００５５】
或いは、上記多数の放射状壁部３４の各放射状壁部３４が、多数の上側溢流貫通スリット３４０を含む上部３４９を含むようにする。
【００５６】
或いは、上側溢流貫通スリット３４０を設けないようにすることも可能である。
【００５７】
本発明に係るリップバーム２を塗布するための化粧品容器１はより簡素化されて、組み付けがより容易且つ迅速であることが好ましく、化粧品容器１を損傷させることもバーム２が汚染されることもなく、加熱半流体状のバーム２を充填することができる。
【符号の説明】
【００５８】
１      化粧品容器
２      リップバーム
３      下側内殻
１４      キャップ
１６      基部
１８      空間区域
１９，１４９      上側内殻
２３      貫通孔
３０      支持フレーム
３４      放射状壁部
３６      中央中空ハブ
１４０      中央キャップ
１４１      連結要素
１６０      下側プラグ
１８０      内部中央部
１８１      境界
１９１      連結要素
３４０      上側溢流貫通スリット
３４９      上部
３６０      内部空洞
３６３      下部
３８０      外面
５００      放射状貫通スリット
Ｍ      組付軸線
【図１】
2019536543.tif 000003
【図２】
2019536543.tif 000004
【図３】
2019536543.tif 000005
【図４】
2019536543.tif 000006
【図５−６】
2019536543.tif 000007
【図７】
2019536543.tif 000008
【図８】
2019536543.tif 000009
【図９】
2019536543.tif 000010
【図１０】
2019536543.tif 000011
【図１１】
2019536543.tif 000012
【図１２】
2019536543.tif 000013
【図１３】
2019536543.tif 000014
【図１４】
2019536543.tif 000015
【図１５−１６】
2019536543.tif 000016
【図１７】
2019536543.tif 000017
【図１８】
2019536543.tif 000018
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
リップバーム（２）を塗布するための化粧品容器（１）であって、キャップ（１４）と、上側内殻（１９，１４９）と、基部（１６）とを備え、前記キャップ（１４）と前記基部（１６）とが、前記化粧品容器（１）を形成するように、組付軸線（Ｍ）に沿って互いに分離可能に組み付け可能であり、前記基部（１６）が、固形状の前記リップバーム（２）を支持する支持フレーム（３０）を含み、前記上側内殻（１９，１４９）が前記キャップ（１４）と前記基部（１６）との間に設けられ、前記上側内殻（１９，１４９）が、固形状の前記リップバーム（２）の外面に対して補完的な形状を有し、前記バーム（２）の前記外面が、前記バーム（２）を唇に塗布するのに適した形状を有し、前記基部（１６）が下側内殻（３）を含み、前記基部（１６）の底部には、前記化粧品容器（１）が完全に組み付けられて裏返された姿勢の状態で加熱半流体状の前記バーム（２）を前記化粧品容器（１）内に充填するステップの間、加熱半流体状の前記バーム（２）を通過可能とする貫通孔（２３）が設けられ、充填ステップの前後に下側プラグ（１６０）によって前記基部（１６）の前記貫通孔（２３）が閉じられ、前記支持フレーム（３０）が前記基部（１６）と一体であり、前記下側内殻（３）の内部中央部（１８０）が前記基部（１６）の内側底部であり、前記貫通孔（２３）内へと開口し、前記基部（１６）の前記支持フレーム（３０）が、前記内部中央部（１８０）から前記基部（１６）の前記下側内殻（３）に向かって前記組付軸線（Ｍ）に沿って延在する中央中空ハブ（３６）を含み、前記中央中空ハブ（３６）が、底部で前記貫通孔（２３）内へと開口する内部空洞（３６０）を含み、前記中央中空ハブ（３６）が、前記基部（１６）の前記下側内殻（３）に対向する外面（３８０）を含み、前記中央中空ハブ（３６）が多数の放射状貫通スリット（５００）を含み、前記基部（１６）の前記支持フレーム（３０）が、前記下側内殻（３）の内部を前記下側内殻（３）の空間区域（１８）へと区分する多数の放射状壁部（３４）を含み、各放射状壁部（３４）が、前記基部（１６）の前記下側内殻（３）から前記組付軸線（Ｍ）に沿って延在し、前記多数の放射状貫通スリット（５００）の各放射状貫通スリット（５００）が、前記多数の放射状壁部（３４）の隣接する２つの放射状壁部（３４）の間に配置されて、充填ステップの間、加熱半流体状の前記バーム（２）を、前記中央中空ハブ（３６）の前記内部空洞（３６０）から前記基部（１６）の前記下側内殻（３）における前記空間区域（１８）の１つへと通過可能とし、前記多数の放射状壁部（３４）の各放射状壁
部（３４）が、前記中央中空ハブ（３６）の前記外面（３８０）から前記基部（１６）の外壁（１６１）に向かって放射状に延在する化粧品容器（１）において、前記多数の放射状壁部（３４）の各放射状壁部（３４）が、少なくとも１つの上側溢流貫通スリット（３４０）を含む上部（３４９）を含み、各上側溢流貫通スリット（３４０）が、充填ステップの間、加熱半流体状の前記バーム（２）を、前記基部（１６）の前記下側内殻（３）における前記空間区域（１８）の少なくとも２つの間を通過可能とするようになっていることを特徴とする化粧品容器（１）。
【請求項２】
２つ以上の前記放射状貫通スリット（５００）が前記多数の放射状壁部（３４）の隣接する２つの放射状壁部（３４）の間に配置されることを特徴とする、請求項１に記載の化粧品容器（１）。
【請求項３】
各放射状貫通スリット（５００）が前記中央中空ハブ（３６）の下部（３６３）に配置されることを特徴とする、請求項１又は２に記載の化粧品容器（１）。
【請求項４】
少なくとも１つの前記上側溢流貫通スリット（３４０）が、前記中央中空ハブ（３６）に近接した前記放射状壁部（３４）の前記上部（３４９）に配置され、前記少なくとも１つの上側溢流貫通スリット（３４０）が、充填ステップの間、加熱半流体状の前記バーム（２）を、前記中央中空ハブ（３６）の前記内部空洞（３６０）から、前記基部（１６）の前記下側内殻（３）における前記空間区域（１８）の少なくとも２つへと通過可能とするようになっていることを特徴とする、請求項１〜３のいずれか１項に記載の化粧品容器（１）。
【請求項５】
前記下側内殻（３）が、前記基部（１６）の前記外壁（１６１）と前記下側内殻（３）の底部である前記内部中央部（１８０）とに接する境界（１８１）を含み、前記下側内殻（３）の前記境界（１８１）が、前記下側内殻（３）の前記内部中央部（１８０）に対して高く配置され、この高さが前記組付軸線（Ｍ）に沿って測定されることを特徴とする、請求項１〜４のいずれか１項に記載の化粧品容器（１）。
【請求項６】
前記下側内殻（３）が凹形状を有することを特徴とする、請求項１〜５のいずれか１項に記載の化粧品容器（１）。
【請求項７】
前記キャップ（１４）が前記上側内殻（１９）を含むことを特徴とする、請求項１〜６のいずれか１項に記載の化粧品容器（１）。
【請求項８】
前記上側内殻（１４９）を含む中央キャップ（１４０）を更に備え、前記中央キャップ（１４０）が、前記キャップ（１４）に対して、前記組付軸線（Ｍ）に沿って分離可能に組み付け可能であることを特徴とする、請求項１〜６のいずれか１項に記載の化粧品容器（１）。
【請求項９】
前記中央キャップ（１４０）が、前記キャップ（１４）の内面の連結要素（１９１）と連結する連結要素（１４１）を提供することを特徴とする、請求項８に記載の化粧品容器（１）。
【請求項１０】
前記上側内殻（１４９）を含む中央キャップ（１４０）を更に備え、前記中央キャップ（１４０）が、前記基部（１６）に対して、前記組付軸線（Ｍ）に沿って分離可能に組み付け可能であることを特徴とする、請求項１〜６のいずれか１項に記載の化粧品容器（１）。
【請求項１１】
前記上側内殻（１９，１４９）が曲線的な形状を有することを特徴とする、請求項１〜
１０のいずれか１項に記載の化粧品容器（１）。
【請求項１２】
前記キャップ（１４，１４０）が曲線的な形状を有することを特徴とする、請求項１〜１１のいずれか１項に記載の化粧品容器（１）。
【国際調査報告】
2019536543.tif 000019
2019536543.tif 000020
2019536543.tif 000021